(57)【要約】【課題】パケット交換網と加入者回線交換網の両方にアクセスでき、着信や発信の際の操作性の良い通話インターフェースをもつ電話装置を提供する。【解決手段】パケット交換網に接続され音声信号などのデータ通信機能をもつパケット通信部と、加入者回線交換網に接続された既設電話機を通じて音声信号などの通信機能もつ電話通信部と、音声信号などの入出力手段となる通話インターフェース部と、発信や着信の状況に応じて前記パケット通信部もしくは前記電話通信部のどちらか一方の音声信号などに対して情報形式および通信形式の変換を行って前記通話インターフェース部に接続するトランスコーデック部とを備える。【選択図】  図１
2004159053.tif 000002
【特許請求の範囲】
【請求項１】
パケット交換網と加入者回線交換網の両方に接続して通話できる電話装置であって、
パケット交換網に接続され音声信号を含む通信を行うパケット通信部と、
加入者電話装置を介して加入者回線交換網に接続され音声信号を含む通信を行う電話通信部と、
音声信号の入出力を行う音声インターフェース部を有する通話インターフェース部と、
前記パケット通信部および／または前記電話通信部と前記通話インターフェース部間の情報形式および／または通信形式の変換を行うトランスコーデック部と
を備えることを特徴とする電話装置。
【請求項２】
通話インターフェース部は、映像信号の入出力を行う映像インターフェース部をさらに備え、映像と音声による通話を行えるよう構成したことを特徴とする請求項１記載の電話装置。
【請求項３】
電話通信部は、加入者電話装置との接続を無線により行う無線ユニットを有し、前記加入者電話装置の無線規格仕様に合わせて物理的またはソフトウエア的に前記無線ユニットが変更できることを特徴とする請求項１または２記載の電話装置。
【請求項４】
パケット交換網にアクセスして通話できる電話装置であって、
パケット交換網に接続され音声信号および映像信号を含む通信を行うパケット通信部と、
音声信号の入出力を行う音声インターフェース部と映像信号の入出力を行う映像インターフェース部とを有する通話インターフェース部と、
前記パケット通信部と前記通話インターフェース部間の情報形式および／または通信形式の変換を行うトランスコーデック部とを備え、
前記音声インターフェース部は前記トランスコーデック部と無線接続されることを特徴とする電話装置。
【請求項５】
映像インターフェース部はトランスコーデック部と有線接続され、
音声インターフェース部は、前記映像インターフェース部の動作を赤外線通信により直接制御するリモートコントロール部と一体に構成されてなることを特徴とする請求項４記載の電話装置。
【請求項６】
映像インターフェース部はトランスコーデック部と無線接続され、
音声インターフェース部と前記映像インターフェース部とが一体に構成されてなることを特徴とする請求項４記載の電話装置。
【発明の詳細な説明】
【０００１】
【発明の属する技術分野】
本発明は、パケット交換網と加入者回線交換網の両方に接続して通話できる電話装置に関するものである。
【０００２】
【従来の技術】
近年、パケット交換網であるインターネットを利用し、ＩＰ（インターネット・プロトコル）によるＩＰ電話サービスが広まりつつある。ＩＰ電話では、距離や時間に無関係に低価格でネットワークを利用できるため、従来の加入者電話に比べて通話料金が安価となる。しかしながら、インターネットの通話品質は、ベストエフォートであり、トラフィックの状況に応じて通信速度が変動するため、加入者回線交換網並みの通信信頼性の確保が難しかった。
【０００３】
そこで、（特許文献１）にあるように、インターネットおよび加入者回線網の両方への接続が可能なキャリア事業者側で、インターネットの回線品質が低下した場合に、補助的回線として加入者回線交換網に切り替えることで通信品質を確保することができた。
【０００４】
【特許文献１】
特開２０００−１７４８２５号公報
【０００５】
【発明が解決しようとする課題】
一般に、電話加入者は、インターネットと加入者回線交換網に関して、別々のキャリア事業者と使用契約する場合が少なくない。そのため、ＩＰ電話の利用の場合には、ＩＰ電話のための専用の装置、もしくは、ＩＰ電話専用のソフトウェアをインストールしたＰＣ（パーソナルコンピュータ）等が新たに必要となった。これは、既設の加入者電話装置（アナログ電話もしくはＩＳＤＮ（インテグレーテッド・サービス・デジタル・ネットワーク）電話）に対して異なる通話インターフェースをもつことになるため、発信や着信の操作に手間がかかった。そのため、低コストかつ取り付けの容易な、発信や着信の際に操作の統一性がとれた通話インターフェースが必要となった。さらに、テレビ電話のような映像による通話を行う場合に、通話の際の利便性の高い優れた通話インターフェースが必要となった。
【０００６】
【課題を解決するための手段】
本発明に係わる電話装置は、パケット交換網と加入者回線交換網の両方に接続して通話できる電話装置であって、パケット交換網に接続され音声信号を含む通信を行うパケット通信部と、加入者電話装置を介して加入者回線交換網に接続され音声信号を含む通信を行う電話通信部と、音声信号の入出力を行う音声インターフェース部を有する通話インターフェース部と、前記パケット通信部および／または前記電話通信部と前記通話インターフェース部間の情報形式および／または通信形式の変換を行うトランスコーデック部とを備える。
【０００７】
この構成により、配線接続などの取り付けの容易な、かつ、レイアウトの自由度の高い、低コストで操作性の良いＩＰ電話装置を提供できる。
【０００８】
また、前記トランスコーデック部と無線接続された前記通話インターフェース部と同一坦体上に映像通話のための制御手段を具備することにより、テレビ電話のような映像による通話を行う際に、通話の際の利便性の高い優れた通話インターフェースを実現できる。
【０００９】
【発明の実施の形態】
以下、図面を参照しながら、本発明の実施の形態について説明する。
【００１０】
（実施の形態１）
図１は、本発明の一実施の形態における電話装置および関連電子機器のブロック図である。
【００１１】
図１において、１０はＡＤＳＬ（非対称デジタル加入者線）回線と共用されたアナログ加入者回線、１１はＡＤＳＬ回線とアナログ回線との信号を分離するスプリッタ、１２はＡＤＳＬデータ通信モデム、１３はＩＰパケットの経路制御を行うルーター、１４は子機登録が可能なアナログコードレス電話機、１５はボイスオーバーＩＰによる通話が可能なパケット通信部、１６はコードレス電話機１４に子機登録されて無線による音声通話が可能な電話通信部、１７は発信や着信の状況に応じて選択された音声信号に対して情報形式および通信形式の変換を行うトランスコーデック部、１８は音声信号の入力手段であるマイク、１９は音声信号の出力手段であるスピーカーを表している。ここで、ＡＤＳＬ回線はパケット交換網、アナログ加入者回線１０は加入者回線網、アナログコードレス電話機１４は加入者電話装置に対応する。また、マイク１８とスピーカー１９が通話インターフェース部（音声インターフェース部）に対応する。
【００１２】
アナログ加入者回線１０、スプリッタ１１、ＡＤＳＬデータ通信モデム１２、ルーター１３、アナログコードレス電話１４はそれぞれ既設の電子機器であり、本発明の電話装置は、パケット通信部１５、電話通信部１６、トランスコーデック部１７、マイク１８、スピーカー１９より構成される。ここで、ルーター１３とパケット通信部１５との間は、ツイストペアケーブルで有線接続され、コードレス電話１４と電話通信部との間は特定小電力アナログ無線で無線接続される。
【００１３】
ＡＤＳＬ回線による音声信号（ＰＣＭ信号）は、ＡＤＳＬ回線１０、スプリッタ１１、ＡＤＳＬデータ通信モデム１２、ルーター１３、パケット通信部１５の経路順でトランスコーデック部１７に伝送される。また、アナログ加入者回線による音声信号（アナログ信号）は、アナログ回線１０，アナログコードレス電話機１４、電話通信部１６の経路順でトランスコーデック部１７に伝送される。トランスコーデック部において、ＡＤＳＬ回線を用いた通話の場合には、パケット通信部１５からのＰＣＭ信号はアナログ信号に変換されてスピーカー１９に伝えられ、マイク１８からのアナログ信号はＰＣＭ信号に変換されてパケット通信部１５に伝える。トランスコーデック部において、アナログ加入者回線を用いた通話の場合には、電話通信部１６からのアナログ信号はそのままスピーカー１９に伝えられ、マイク１８からのアナログ信号はそのまま電話通信部１６に伝えられる。
【００１４】
なお、本実施の形態ではアナログ信号とＰＣＭ信号を変換する場合を説明したが、パケット通信部１５、電話通信部１６と通話インターフェース部の構成に応じて、音声や画像の圧縮方式（ＭＰＥＧ等）といった情報形式の変換、あるいは通信多重化方式（ＦＤＭＡ，ＴＤＭＡ、ＣＤＭＡ等）、プロトコルといった通信形式の変換など、変換する内容は適宜変更可能である。
【００１５】
この構成により、以下の効果が得られる。１）ＡＤＳＬ回線とアナログ加入者回線と共通の通話インターフェースをもつＩＰ電話装置が実現できる。２）既設の電子機器をそのまま利用できるため、ＩＰ電話導入コストを低減できるとともに、ツイストペアケーブルのみの追加による簡単な配線接続が可能。３）特定小電力アナログ無線用のアンテナの位置を固定にできるため、無線による省線化を図りつつも通信信頼性の確保が容易である。
【００１６】
（実施の形態２）
図２は、本発明の一実施の形態におけるテレビ電話装置および関連電子機器のブロック図である。
【００１７】
図２において、２０は光ファイバー通信による光加入者回線、２１はＩＳＤＮ回線、２２は光データ通信モデム、２３はＩＰパケットの経路制御を行うルーター、２４はＩＳＤＮインターフェース（ＤＳＵ（デジタル・サブスクライバー・ユニット）およびＴＡ（ターミナル・アダプタ））、２５はＰＨＳ（パーソナル・ハンディホン・システム）方式での子機登録が可能なコードレス電話機、２６はボイスオーバーＩＰ通信による通話が可能なパケット通信部、２７はコードレス電話機２５に子機登録されて無線により音声通話が可能な電話通信部、２８は電話通信部２７の無線モジュール取り付け用のスロット、２９は発信や着信の状況に応じて選択された音声信号や映像信号に対して情報形式および通信形式の変換を行うトランスコーデック部、３０は音声信号の入力手段であるマイク、３１は音声信号の出力手段であるスピーカー、３２は映像信号の入力手段であるカメラ、３３は映像信号の出力手段であるディスプレイ（ＮＴＳＣ方式）を表している。ここで、マイク３０とスピーカー３１が音声インターフェース部に対応し、カメラ３２とディスプレイ３３が映像インターフェース部に対応する。
【００１８】
光加入者回線２０、ＩＳＤＮ回線２１、光データ通信モデム２２、ルーター２３、ＩＳＤＮインターフェース２４、コードレス電話機２５、ディスプレイ３３は、それぞれ、既設の電子機器であり、本発明の電話装置は、パケット通信部２６、電話通信部２７、トランスコーデック部２９、マイク３０、スピーカー３１、カメラ３２より構成される。ここで、ルーター２３とパケット通信部２６との間は、小電力無線（ＩＥＥＥ８０２．１１ｂ）で無線接続され、コードレス電話２５と電話通信部２７との間は小電力無線（ＰＨＳ）で無線接続される。
【００１９】
光加入者回線による音声信号（ＰＣＭ信号）と映像信号（ＭＰＥＧ信号）は、光加入者回線２０、光データ通信モデム２２、ルーター２３、パケット通信部２６の経路順でトランスコーデック部２９に伝送される。また、ＩＳＤＮ回線では映像信号のない音声信号のみによる通信となるため、ＩＳＤＮ回線による音声信号（ＰＣＭ信号）は、ＩＳＤＮ回線２１、ＩＳＤＮインターフェース２４、コードレス電話機２５、電話通信部２７の経路順でトランスコーデック部２９に伝送される。トランスコーデック部において、光加入者回線を用いた通話の場合には、パケット通信部２６からの音声信号（ＰＣＭ信号）はアナログ音声信号に変換されてスピーカー３０に、パケット通信部２６からの映像信号（ＭＰＥＧ信号）はアナログ映像信号（ＮＴＳＣ）に変換されてディスプレイ３３に伝えられ、マイク３０からのアナログ音声信号は音声信号（ＰＣＭ信号）に変換されてパケット通信部２６に、カメラ３２からのアナログ映像信号は映像信号（ＭＰＥＧ信号）に変換されてパケット通信部２６に伝えられる。トランスコーデック部において、ＩＳＤＮ回線による通話の場合には、電話通信部２７からの音声信号（ＡＤＰＣＭ信号）はアナログ信号に変換されてスピーカー３１に伝えられ、マイク１８からのアナログ信号は音声信号（ＰＣＭ信号）に変換されて電話通信部２７に伝えられる。
【００２０】
この構成により、以下の効果が得られる。１）光加入者回線とＩＳＤＮ回線と共通の音声通話インターフェースをもつテレビ電話装置が実現できる。２）既設のテレビ（ＮＴＳＣ方式）をそのままディスプレイとして利用できるため、ＩＰ電話導入コストを低減できるとともに、簡単な取り付けが可能、３）ルーターやＰＨＳコードレス電話機等に対してディスプレイを含む通話インターフェース部を離設でき、レイアウトの自由度を高くすることができる。
【００２１】
また、電話通信部２７に無線機能拡張用のスロット２８を設け、コードレス電話機２５の無線方式に合わせて通信モジュールを取り変える、あるいはソフトウエア的に変更することで、各種無線方式ごとの違いや、メーカーごとの仕様の違いに対応できる。
【００２２】
（実施の形態３）
図３は、本発明の一実施の形態におけるテレビ電話装置と通話インターフェース部のブロック図である。パケット通信部とルーター間は小電力無線（ＩＥＥＥ８０２．１１ｂ）、電話通信部とコードレス電話間は小電力無線（ＰＨＳ）を３チャネル（映像：２チャンネル、音声：１チャンネル）利用してそれぞれ無線接続されている。
【００２３】
図３において、４０はボイスオーバーＩＰ通信による通話が可能なパケット通信部、４１はコードレス電話機に子機登録されて無線により音声通話が可能な電話通信部、４２はトランスコーデック部、４３はハードディスク記録部、４４は映像信号の入力手段であるカメラ、４５は映像信号の出力手段であるディスプレイ（ＮＴＳＣ方式）、４６は音声信号の入出力手段としてマイクとスピーカーを搭載した携帯端末部、４７は携帯端末部４６に設けられた赤外線リモコンを表している。ここで、カメラ４４とディスプレイ４５が映像インターフェース部に対応し、携帯端末部４６が音声インターフェース部に対応し、映像インターフェース部（カメラ４４とディスプレイ４５）とトランスコーデック部４２との間は有線により接続され、音声インターフェース部（携帯端末部４６）とトランスコーデック部４２との間は小電力無線（ＰＨＳ）により接続される。
【００２４】
トランスコーデック部４２は、パケット通信部４０と通話インターフェースとの間、もしくは、電話通信部４１と通話インターフェースとの間の情報形式および通信形式の変換を行う。すなわち、パケット通信部４０からの音声信号（ＰＣＭ信号）は音声信号（ＡＤＰＣＭ信号）に変換されて携帯端末部４６に、パケット通信部４０からの映像信号（ＭＰＥＧ信号）はアナログ映像信号（ＮＴＳＣ）に変換されてディスプレイ４５に伝えられ、携帯端末部４６からの音声信号（ＡＤＰＣＭ信号）は音声信号（ＰＣＭ信号）に変換されてパケット通信部４０に伝えられ、カメラ４４からのアナログ映像信号は映像信号（ＭＰＥＧ信号）に変換されてパケット通信部４０に伝えられる。また、トランスコーデック部４２において、電話通信部４１からの音声信号（ＡＤＰＣＭ信号）はそのまま携帯端末部４６に中継され、電話通信部４１からの映像信号（Ｈ．２６１信号）はアナログ映像信号（ＮＴＳＣ）に変換されてディスプレイ４５に伝えられ、携帯端末部４６からの音声信号（ＡＤＰＣＭ信号）はそのまま電話通信部４１に中継され、カメラ４４からのアナログ映像信号は映像信号（Ｈ．２６１信号）に変換されて電話通信部４１に伝えられる。
【００２５】
また、トランスコーデック部４２は、ハードディスク記録部と通話インターフェースとの間、もしくは、ハードディスク記録部とパケット通信部との間の情報形式および通信形式の変換を行い、ハードディスク記録部４３において、テレビ電話使用時の通話内容（映像信号、音声信号）を記録することができる。なお、ハードディスク記録部は、ディスプレイ４５もしくは本電話装置に内蔵されたチューナーからのビデオ信号に対して番組録画機能も兼ね備える。
【００２６】
この構成により、以下の効果が得られる。テレビ電話の機能をハードディスクレコーダ等に代表されるＴＶ録画機器の一機能として実装することで、従来ＴＶ録画機器との代替えにより、簡単に取り付けられるとともに、省スペース化に役立つ。２）音声通話のみをＰＨＳやＢｌｕｅｔｏｏｔｈを利用して無線化したことにより、消費電力の低減が図れるため、長時間のＴＶ電話が可能になる。３）ハードディスク記録部を活用して留守番テレビ電話が容易に実現できる。４）トランスコーデック部に、パケット通信部４０経由での外部アクセスに対する認証チェック機能を持たせることにより、インターネット接続によるカメラ４４を利用したセキュリティ監視機能を実現する事ができる。なお、ハードディスク記録部は、光ディスク等の大容量な記録装置に置き換えても同様の効果が期待できる。また、音声インターフェース部（携帯端末部４６）とトランスコーデック部４２との間の無線接続は小電力無線（Ｂｌｕｅｔｏｏｔｈ）を用いてもよい。
【００２７】
また、携帯端末部４６はディスプレイ４５に対する赤外線リモコン４７を備える。この構成により、以下の効果が得られる。１）従来型のディスプレイ（ＮＴＳＣ型テレビ）に対する学習リモコン機能の追加のみでよく実現性が高い。２）ＩＰ電話使用時に、ディスプレイの電源のオン状態への移行、および、ＴＶ電話チャンネルへの移行の操作を同一端末で容易に行える。３）番組視聴中にディスプレイに対して着信メッセージを表示することが可能。４）赤外線の発光方向をセンシングすることにより、話者へのカメラ追従制御が容易となる。
【００２８】
（実施の形態４）
図４は、本発明の一実施の形態におけるテレビ電話装置と通話インターフェース部のブロック図である。パケット通信部とルーター間は小電力無線（ＩＥＥＥ８０２．１１ｂ）、電話通信部とコードレス電話間は小電力無線（ＰＨＳ）を３チャネル（映像：２チャンネル、音声：１チャンネル）利用してそれぞれ接続されている。
【００２９】
図４において、５０はボイスオーバーＩＰ通信による通話が可能なパケット通信部、５１はコードレス電話機に子機登録されて無線により音声通話が可能な電話通信部、５２はトランスコーデック部、５３はハードディスク記録部、５４は映像信号の入力手段であるカメラ、５５は映像信号の出力手段であるディスプレイ（ＮＴＳＣ方式）、５６は携帯端末部、５７は携帯端末部５６に設けられたマイク、５８は携帯端末部５６に設けられたスピーカー、５９は携帯端末部５６に設けられたカメラ、６０は携帯端末部５６に設けられたディスプレイを表している。ここで、カメラ５４とディスプレイ５５が第一の映像インターフェース部に対応し、マイク５７とスピーカー５８が音声インターフェース部に対応し、カメラ５９とディスプレイ６０が第二の映像インターフェース部に対応し、第一の映像インターフェース部（カメラ５４とディスプレイ５５）とトランスコーデック部５２との間は有線により接続され、音声インターフェース部（マイク５７とスピーカー５８）とトランスコーデック部５２との間は小電力無線（ＰＨＳ）により接続され、第二の映像インターフェース部（カメラ５９とディスプレイ６０）とトランスコーデック部５２との間は小電力無線（ＩＥＥＥ８０２．１１ｂ）により接続されている。トランスコーデック部５２は、パケット通信部５０と通話インターフェースとの間、もしくは、電話通信部５１と通話インターフェースとの間の情報形式および通信形式の変換を行い、基本的な動作については、図３の場合と同様である。
【００３０】
この構成により、以下の効果が得られる。１）通話インターフェースの携帯性が向上するため、テレビ電話の使用エリアを広げることができ、離れた場所のセキュリティ監視を容易に行える。２）小電力無線（ＩＥＥＥ８０２．１１ｂ）に関するアクセス管理を、本テレビ電話装置で集中制御できるため、相互の電波干渉の抑制が容易になる。
【００３１】
【発明の効果】
以上説明したとおり本発明によれば、配線接続などの取り付けの容易な、かつ、レイアウトの自由度の高い、低コストで操作性の良い電話装置を提供できる。
【図面の簡単な説明】
【図１】本発明の一実施の形態における音声通話用の電話装置および関連電子機器のブロック図
【図２】本発明の一実施の形態における音声・映像通話用の電話装置および関連電子機器のブロック図
【図３】本発明の一実施の形態における音声・映像通話用の電話装置のブロック図
【図４】本発明の一実施の形態における音声・映像通話用の電話装置のブロック図
【符号の説明】
１０  アナログ加入者回線
１１  スプリッタ
１２  ＡＤＳＬデータ通信モデム
１３  ルータ
１４  デジタルコードレス電話機
１５  パケット通信部
１６  電話通信部
１７  トランスコーデック部
１８  マイク
１９  スピーカー
【図１】
2004159053.tif 000003
【図２】
2004159053.tif 000004
【図３】
2004159053.tif 000005
【図４】
2004159053.tif 000006